(57)【要約】【課題】建物内に快適な空間を提供する。【解決手段】室内に太陽光が差し込む晴天の日中において、予め設定しておいた室温よりも、部屋の室温が高くなった場合には、制御装置５８は南側の外部ルーバー２４の羽板５４を閉め、室内に入り込む太陽光を遮る。これにより、室内に入り込む太陽光エネルギーが抑えられ、室温の上昇を抑えることが出来、建物内部に快適な空間を提供することができる。また、予め設定した室温よりも部屋の温度が高く、かつ、外気温が室温よりも低い場合には、制御装置５８は、天井ルーバー４２の羽板４６を開けて室内の空気を屋外に排出することができ、建物内に快適な空間を提供することが出来る。【選択図】図４
2012184862.tif 000002
【特許請求の範囲】
【請求項１】
窓の屋外側に設けられ、電動で開閉される複数の羽板を備えた第１の可動ルーバーと、
上階と下階との階間、及び天井の少なくとも一方に設けられ、電動で開閉される複数の羽板を備えた第２の可動ルーバーと、
前記第１の可動ルーバー、及び前記第２の可動ルーバーを自動制御して前記第１の可動ルーバーの前記羽板、及び前記第２の可動ルーバーの前記羽板の開閉を行う制御手段と、
を有する建物。
【請求項２】
前記制御装置は、室内環境を検知するセンサーからの室内環境検知情報に基づいて前記制御を行う、請求項１に記載の建物。
【請求項３】
前記第１の可動ルーバーの建物側に配置された窓の開閉を検知する窓開閉検知手段を備え、
前記制御手段は、前記窓が開となった場合に前記第１の可動ルーバーの制御を行う、請求項１または請求項２に記載の建物。
【請求項４】
前記第２の可動ルーバーに送風機を設けた、請求項１〜請求項３の何れか１項に記載の建物。
【請求項５】
前記第１の可動ルーバー、及び前記第２の可動ルーバーの少なくとも一方に、照明装置が設けられている、請求項１〜請求項４の何れか１項に記載の建物。
【請求項６】
前記羽板は前記制御手段によって角度が制御される、請求項１〜請求項５の何れか１項に記載の建物。
【請求項７】
前記第１の可動ルーバーは前記建物の東側、西側、南側、北側の少なくとも一方に設けられている、請求項１〜請求項６の何れか１項に記載の建物。
【請求項８】
前記羽板には液体を通す配管が設けられている、請求項１〜請求項７の何れか１項に記載の建物。
【請求項９】
前記配管は、前記羽板の長手方向の一端側から他端側へ延びて前記他端側で方向を変更して前記一端側へ戻るように形成されている、請求項８に記載の建物。
【発明の詳細な説明】
【技術分野】
【０００１】
本発明は、屋内空間を自動で快適とすることが可能な建物に関する。
【背景技術】
【０００２】
空間内に放熱パネル体を空間内を仕切るように配置し、放熱パネル体に設けた開口を開閉するルーバーを放熱パネル体に装着した空間の加熱装置が特許文献１に提案されている。
【先行技術文献】
【特許文献】
【０００３】
【特許文献１】特開２００５―２７４０１４号公報。
【発明の概要】
【発明が解決しようとする課題】
【０００４】
この空間の加熱装置では、必要な部分だけを加熱したり、全体を加熱したりするのを簡単に切り替えて使用できて用途に応じて便利に使用できるが、加熱することしか考慮されておらず、快適な空間を提供するには改善の余地があった。
【０００５】
本発明は上記事実を考慮し、従来よりも快適な空間を提供することが可能な建物の提供を目的とする。
【課題を解決するための手段】
【０００６】
請求項１に記載の建物は、窓の屋外側に設けられ、電動で開閉される複数の羽板を備えた第１の可動ルーバーと、上階と下階との階間、及び天井の少なくとも一方に設けられ、電動で開閉される複数の羽板を備えた第２の可動ルーバーと、前記第１の可動ルーバー、及び前記第２の可動ルーバーを自動制御して前記第１の可動ルーバーの前記羽板、及び前記第２の可動ルーバーの前記羽板の開閉を行う制御手段と、を有する。
【０００７】
次に、請求項１に記載の建物の作用を説明する。
請求項１に記載の建物では、制御手段によって第１の可動ルーバー、及び第２の可動ルーバーが制御手段で自動制御され、第１の可動ルーバーの羽板の開閉、及び第２の可動ルーバーの羽板を開閉が行われる。
【０００８】
例えば、第１の可動ルーバーの羽板を閉めることで室内に入る太陽光を遮ることができ、第１の可動ルーバーの羽板を開けることで室内に太陽光を取り入れることができる。また、第１の可動ルーバーの羽板を閉めることで、目隠しとして利用でき、プライバシー等もコントロール可能である。
【０００９】
また、上階と下階との間に設けた第２の可動ルーバーを開けることで、上階と下階との間で空気を出入りさせることができ、上階と下階との間に設けた第２の可動ルーバーを閉めることで、第２の可動ルーバーを介しての上階と下階との間の空気の出入りを阻止することができる。
【００１０】
さらに、天井に設けた第２の可動ルーバーを開けることで、室内と屋根裏との間で空気を出入りさせることができ、天井に設けた第２の可動ルーバーを閉めることで、第２の可動ルーバーを介しての室内と屋根裏との間の空気の出入りを阻止することができる。
【００１１】
このように、請求項１に記載の建物では、第１の可動ルーバーの羽板、及び第２の可動ルーバーの羽板の開閉が制御装置によって自動で行われるので、人手をかけず、建物内に快適な空間の提供が可能となる。
【００１２】
請求項２に記載の発明は、請求項１に記載の建物において、前記制御装置は、室内環境を検知するセンサーからの室内環境検知情報に基づいて前記制御を行う。
【００１３】
次に、請求項２に記載の建物の作用を説明する。
請求項２に記載の建物では、センサーによって室内環境が検出される。制御装置は、センサーによって検出された室内環境検出情報(データ）に基づいて、第１の可動ルーバー、及び第２の可動ルーバーを制御し、快適な空間が得られるように第１の可動ルーバーの羽板、及び第２の可動ルーバーの羽板の開閉を行う。
【００１４】
センサーとしては、例えば、温度センサー、湿度センサー等を上げることが出来るが、室内環境を検出可能であれば、他のセンサーを用いることもできる。
【００１５】
請求項３に記載の発明は、請求項１または請求項２に記載の建物において、前記窓の開閉を検知する窓開閉検知手段を備え、前記制御手段は、前記窓が開となった場合に前記第１の可動ルーバーの制御を可能とする。
【００１６】
次に、請求項３に記載の建物の作用を説明する。
請求項３に記載の建物では、窓開閉検知手段が、第１の可動ルーバーの建物側に配置された窓の開閉を検知する。窓が閉められている場合には、制御手段は第１の可動ルーバーの制御を行わず、窓が開けられたときに第１の可動ルーバーの制御を行う。
【００１７】
例えば、就寝時等に窓が閉められた場合には、制御手段は第１の可動ルーバーの制御を行わない、即ち、第１の可動ルーバーの羽板の開閉は行わない。
一方、日中等に窓が開けられた場合には、制御手段は第１の可動ルーバーの制御を行うことができ、第１の可動ルーバーの羽板の開閉を行うことができる。
【００１８】
請求項４に記載の発明は、請求項１〜請求項３の何れか１項に記載の建物において、前記第２の可動ルーバーに送風機を設けた。
【００１９】
次に、請求項４に記載の建物の作用を説明する。
請求項４に記載の建物では、第２の可動ルーバーに送風機を設けたので、第２の可動ルーバーの羽板を開けた際に送風機を作動させることで、第２の可動ルーバーを介しての空気の出入り量を増大させることが出来る。
【００２０】
請求項５に記載の発明は、請求項１〜請求項４の何れか１項に記載の建物において、前記第１の可動ルーバー、及び前記第２の可動ルーバーの少なくとも一方に、照明装置が設けられている。
【００２１】
次に、請求項５に記載の建物の作用を説明する。
請求項５に記載の建物では、第１の可動ルーバー、及び前記第２の可動ルーバーの少なくとも一方に照明装置が設けられているので、夜間等に照明装置を点灯することで、室内照明として利用できる。
【００２２】
請求項６に記載の発明は、請求項１〜請求項５の何れか１項に記載の建物において、前記羽板は前記制御手段によって角度が制御される。
【００２３】
次に、請求項６に記載の建物の作用を説明する。
請求項６に記載の建物では、前記第１の可動ルーバーの羽板、及び前記第２の可動ルーバーの羽板は、開閉（全開、全閉）だけでなく、制御手段によって角度が制御される。このため、羽板と羽板との間の隙間を調整して通風量を変更する事、羽板と羽板との間に隙間を開けつつ日射を遮る事、羽板と羽板との間に隙間を開けつつ室内に日差しを入れること、羽板と羽板との間に隙間を開けつつブラインドの様に外の特定の方向から室内が見えないようにする目隠しに用いることが可能となる。また、羽板の向きを変更することで、通風の向きを変更することも出来る。
【００２４】
請求項７に記載の発明は、請求項１〜請求項６の何れか１項に記載の建物において、前記第１の可動ルーバーは前記建物の東側、西側、南側、北側の少なくとも一方に設けられている。
【００２５】
次に、請求項７に記載の建物の作用を説明する。
請求項７に記載の建物では、建物の東側に第１の可動ルーバーを設けることで、東側の窓からの採光や通風を制御できる。
また、建物の西側に第１の可動ルーバーを設けることで、西側の窓からの採光や通風を制御できる。
また、建物の南側に第１の可動ルーバーを設けることで、南側の窓からの採光や通風を制御できる。
また、建物の北側に第１の可動ルーバーを設けることで、北側の窓からの採光や通風を制御できる。
【００２６】
請求項８に記載の発明は、請求項１〜請求項７の何れか１項に記載の建物において、前記羽板には液体を通す配管が設けられている。
【００２７】
次に、請求項８に記載の建物の作用を説明する。
請求項１１に記載の建物では、羽板の配管に液体を通すことができので、例えば、配管に温水を通すことで羽板を暖めることができ、配管に冷水を通すことで羽板を冷却することができる。例えば、羽板を暖めることで羽板と羽板の間を通過する空気を暖めることができる。また、羽板を冷却することで羽板と羽板の間通過する空気を冷却することができる。これにより、ルーバー周辺や室内の温度を積極的に調整することが可能となる。
【００２８】
また、第１の可動ルーバーの羽板に太陽光が当っている場合に、羽板の配管に水を通すことで水を温めることも可能であり、第１の可動ルーバーを太陽熱温水器として利用することもできる。
【００２９】
請求項９に記載の発明は、請求項８に記載の建物において、前記配管は、前記羽板の長手方向の一端側から他端側へ延びて前記他端側で方向を変更して前記一端側へ戻るように形成されている。
【００３０】
次に、請求項９に記載の建物の作用を説明する。
請求項９に記載の建物では、羽板の内部に設けた配管は、羽板の長手方向一端側から他端側へ延びて他端側で方向を変更して一端側へ戻るように形成されているため、配管の一端側から流入させた液体は、一端側から他端側へ流れ、その後再び一端側へと流れるので、羽板の長手方向全体を均一に冷却、または暖めることが出来る。また、複数の羽板の各々に配管を設ける場合、各羽板の一端側で各々の配管を連結することが出来、配管の取り回しや連結がし易くなる。
【発明の効果】
【００３１】
以上説明したように請求項１に記載の建物によれば、自動的に従来よりも快適な空間が得られる。
【００３２】
請求項２に記載の建物によれば、室内環境に基づいて羽板の開閉が行われるので、より快適な空間を得ることが可能となる。
【００３３】
請求項３に記載の建物によれば、窓が開けられている場合には、制御装置は必要に応じて第１の可動ルーバーの羽板を開閉する制御を行うが、窓が閉められている場合には、制御手段は第１の可動ルーバーの羽板を開閉するという制御を行わないので省エネとなる。
【００３４】
請求項４に記載の建物によれば、送風機を作動させることで、第２の可動ルーバーを介しての空気の出入り量（速度）を増大させることが出来、快適な空間の提供を迅速に行うことができる。
【００３５】
請求項５に記載の建物によれば、第１の可動ルーバー、及び第２の可動ルーバーの少なくとも一方の照明装置を点灯することで、例えば、室内を照明することが可能となる。なお、羽板の向きによって、室内側へ光を直接照射する直接照明としたり、隣接する羽板に光を照射して間接照明とすることも出来る。これにより、照明装置に基づく光の快適空間を提供することが出来る。
【００３６】
請求項６に記載の建物によれば、第１の可動ルーバーの羽板、及び第２の可動ルーバーの羽板は、開閉（全開、全閉）だけでなく、最適な角度に設定することができ、例えば、通風量や採光量をコントロールしたり、遮光と通風とを両立したり、目隠しと通風を両立したり、通風の向きを変更することも可能となる。これにより、より快適な空間の提供が可能となる。
【００３７】
請求項７に記載の建物によれば、建物の東側に第１の可動ルーバーを設けることで、東側の窓からの採光や通風を制御できる。例えば、第１の可動ルーバーの羽板を閉めることで朝陽を遮ることができ、第１の可動ルーバーの羽板を開けることで室内に朝陽を取り入れることが出来る。また、羽板を閉めることで室内を暗くすることもできる。さらに、第１の可動ルーバーの羽板を開閉することで、東側の窓を介しての通風を制御できる。
【００３８】
請求項７に記載の建物によれば、西側に第１の可動ルーバーを設けることで、西側の窓からの採光や通風を制御できる。例えば、第１の可動ルーバーの羽板を閉めることで、夏などに強い西日を効果的に遮ることができる。
【００３９】
請求項７に記載の建物によれば、南側に第１の可動ルーバーを設けることで、南側の窓からの採光や通風を制御できる。例えば、第１の可動ルーバーの羽板を閉めることで夏の昼などの強い日射を効果的に遮ることができ、第１の可動ルーバーの羽板を開けることで冬などの寒い日に室内に太陽光を取り入れて室内を効果的に暖めることが出来る。
【００４０】
請求項７に記載の建物によれば、建物の北側に第１の可動ルーバーを設けることで、北側の窓からの採光や通風を制御できる。例えば、第１の可動ルーバーの羽板を開けることで北側窓の安定した光を室内に取り入れることができる。
また、第１の可動ルーバーの羽板を目隠しとして利用することもでき、例えば、北側敷地の住人とのプライバシーを保ちながら北側の窓を介しての通風を制御できる。
【００４１】
請求項８に記載の建物によれば、羽板を暖めたり冷やしたりすることができるので、ルーバー周辺や室内の温度を、室温、外気温、日射等に関係無く、積極的に調整することが可能となる。
【００４２】
請求項９に記載の建物によれば、羽板の長手方向全体を均一に冷却、または暖めることが出来、ルーバー周辺や室内の温度を効率的に調整することができる。さらに、各羽板の一端側で各々の配管を連結することができるので、配管の取り回しや連結がし易くなる。
【図面の簡単な説明】
【００４３】
【図１】建物の１階の平面図である。
【図２】建物の平面図である。
【図３】２階の東南部分の一部を示す平面図である。
【図４】建物の東南部分を南北方向に切断した断面図である。
【図５】５（Ａ）は、階間ルーバーが開状態、外部ルーバーが開状態とされた１階の東南部分の室内側から屋外側を見た斜視図であり、５（Ｂ）は、階間ルーバーが閉状態、外部ルーバーが閉状態とされた１階の東南部分の室内側から屋外側を見た斜視図であり、５（Ｃ）は、階間ルーバーが開状態、外部ルーバーが開状態とされた１階の東南部分の室内側から屋外側を見た斜視図である。
【図６】制御系の概略構成を示すブロック図である。
【図７】第２の実施形態に係る天井ルーバーの要部を示す斜視図である。
【図８】第３の実施形態に係る天井ルーバーの要部を示す長手方向から見た側面図である。
【発明を実施するための形態】
【００４４】
以下、図１〜図５を用いて、本発明に係る建物の一実施形態について説明する。
図１には建物１０の１階の平面図、図２には建物１０の平面図が示されている。
本実施形態の建物１０の１階には、東西南北に各々開閉可能な窓１２Ａ、窓１４Ａ、窓１６Ａ、窓１８Ａが設けられており、窓１２Ａ、窓１４Ａ、窓１６Ａ、窓１８Ａの外側には、各々外部ルーバー２０，２２Ａ，２４，２６Ａが間隔を開けて設けられている。なお、各階の間取りの図示は省略している。
【００４５】
図２、及び図３に示すように、建物１０の２階には、東西南北に各々開閉可能な窓１２Ｂ、窓１４Ｂ、窓１６Ｂ、窓１８Ｂが設けられており、窓１４Ｂ、窓１８Ｂの外側には、各々外部ルーバー２２Ｂ，２６Ｂが間隔を開けて設けられている。
なお、１階、及び２階の各窓は、室内に採光が可能な所謂ガラス窓である。
【００４６】
図１、及び図４に示すように、本実施形態の建物１０では、東側の外部ルーバー２０と南側の外部ルーバー２４とが１階外側のテラス２８の端部付近から立ち上がる様に設けられ、各々の幅方向端部同士が連結されている。
【００４７】
図１、及び図４に示すように、東側の外部ルーバー２０、及び南側の外部ルーバー２４は、上部が横桟３０を介して建物１０の外壁に支持されている。
本実施形態の外部ルーバー２０、及び外部ルーバー２４は、窓１２Ａ、及び窓１６Ａの屋外側の前面に対向するように設けられ、各々の高さは２階の床面と天井面との中間の高さに設定されている。
【００４８】
一方、窓１４Ａ、窓１４Ｂ、窓１８Ａ、窓１８Ｂの外側に設けられる外部ルーバー２２Ａ、外部ルーバー２２Ｂ、外部ルーバー２６Ａ、外部ルーバー２６Ｂは、各窓とほぼ同じサイズのものである。
【００４９】
図３〜５に示すように、１階の部屋３２と２階の部屋３４の階間には、１階の部屋３２と２階の部屋３４との間で通風を可能とする階間ルーバー３６が南側の窓際に設けられ、２階の部屋３４の天井３８には、２階の部屋３４と屋根裏４０との間で通風を可能とする天井ルーバー４２が南側の窓際に設けられている。
なお、階間ルーバー３６、及び天井ルーバー４２は、複数設けられていても良く、各部屋毎に設けられていても良い。
【００５０】
（階間ルーバー、及び天井ルーバーの構成）
階間ルーバー３６と天井ルーバー４２とは同一構造であり、回動可能に設けけられた複数の羽板４６を備え、これら複数の羽板４６は図示しないリンク機構、及びモータ等のアクチュエータ等によって角度が変更可能とされており、羽板の向きを変更可能な電動式のルーバーとしては公知の構造のものである。これら階間ルーバー３６、及び天井ルーバー４２は、後述する制御装置５８によって羽板４６の角度が変更される。なお、本実施形態の天井ルーバー４２の羽板４６、及び階間ルーバー３６の羽板４６は、何れも軸線が水平、かつ窓１６Ａ，１６Ｂに対して直角となっている。
【００５１】
建物１０の屋根４４には、天井ルーバー４２の上方に電動で開閉可能なトップライト５０が設けられている。このため、２階の部屋は、天井ルーバー４２、屋根裏４０、及びトップライト５０を介して屋外と換気が可能となっている。
【００５２】
天井ルーバー４２の上方、及び階間ルーバー３６の下方には、上方または下方へ送風可能なファン５１が設けられている。
なお、トップライト５０、及びファン５１は、後述する制御装置５８によって作動が制御される。
【００５３】
（外部ルーバーの構成）
次に、外部ルーバー２０，２２Ａ，２２Ｂ，２４，２６Ａ、２６Ｂの構造を、代表して外部ルーバー２４で説明する。
外部ルーバー２４は、軸線を鉛直方向とされた縦長に形成された複数の羽板５４を備え、これら複数の羽板５４は図示しないリンク機構、及びモータ等のアクチュエータによって角度が変更可能とされており、羽板の向きを変更可能な電動式のルーバーとしては公知の構造のものである。
【００５４】
（制御装置）
図６に示すように、これら外部ルーバー２０，２２Ａ，２２Ｂ，２４，２６Ａ、２６Ｂは、制御装置５８に接続されて作動が制御される。
この制御装置５８には、１階の部屋の温度を検知する温度センサー６０、１階の部屋の湿度を検知する湿度センサー６１、２階の部屋の温度を検知する温度センサー６２、２階の部屋の湿度を検知する湿度センサー６３、屋外に設けられて日射量を検知する日射センサー６４、外気温を検知する外気温センサー６６、屋外の湿度を検知する湿度センサー６７、窓１２Ａ，１２Ｂ、窓１４Ａ、窓１４Ｂ，窓１６Ａ、窓１６Ｂ、窓１８Ａ、窓１８Ｂの開閉を検知する開閉センサー６８（代表して１個のみ記載）、エアコン６９、各種設定を行う入力装置７１、動作状況等を表示する表示装置７３等が接続されている。
【００５５】
さらに制御装置５８は、時計、カレンダー、タイマー、建物１０の建っている位置（緯度、経度）、建物１０の向き（東西南北）、建物１０の建っている位置における月日時間毎の太陽の高度（角度）、各種設定事項を記憶する記憶装置７５等を備えている。
【００５６】
（作用）
次に、本実施形態の建物１０の作用を説明する。
制御装置５８には、１階の部屋の温度を検知する温度センサー６０、２階の部屋の温度を検知する温度センサー６２、日射センサー６４、外気温センサー６６、窓１２Ａ，Ｂ、窓１４Ａ，Ｂ、窓１６Ａ，Ｂ、窓１８Ａ、Ｂの開閉を検知する開閉センサー６８等が接続されているため、１階の温度、２階の温度、日射量、外気温、及び予め設定した設定値に基づいて、各外部ルーバー２０，２２Ａ，２２Ｂ，２４，２６Ａ，２６Ｂの羽板５４、天井ルーバー４２の羽板４６、及び階間ルーバー３６の羽板４６の開閉及び角度の調整を行い、建物内部に快適な空間を提供することができる。
【００５７】
以下に、建物内部に快適な空間とする制御の一例を列挙する。
（１）  例えば、室内に太陽光が差し込む晴天の日中において、制御装置５８に予め設定しておいた室温よりも、部屋の室温が高くなった場合には、制御装置５８は南側の外部ルーバー２４の羽板５４を閉め、室内に入り込む太陽光を遮る。また、西日が差し込む場合には、制御装置５８は西側の外部ルーバー２２Ａ，Ｂの羽板５４を閉め、室内に入り込む太陽光エネルギーを抑える。これにより、室内に入り込む太陽光エネルギーが抑えられ、室温の上昇を抑えることが出来、建物内部を快適な空間とすることができる。
【００５８】
なお、室内に差し込む太陽光が遮られれば、羽板５４は完全に閉める必要は無く、例えば、太陽の方向に羽板５４の面を向ければ良い。
例えば、南側の窓１６Ａ，Ｂ、西側の窓１４Ａ，Ｂを開けた状態で、南側の外部ルーバー２４の羽板５４と羽板５４との間、及び西側の外部ルーバー２２Ａ，Ｂの羽板５４と羽板５４との間に隙間を設けることで、室内に差し込む太陽光を遮光しつつ、南側の窓１６Ａ，Ｂ及び西側の窓１４Ａ，Ｂを介して室内と屋外との間の通風（換気）が可能となる。
【００５９】
制御装置５８は、時刻、月日、建物１０の建っている位置（緯度、経度）、建物１０の向き（東西南北）、建物１０の建っている位置における月日時間毎の太陽の高度（角度）、各種設定事項に基づいて演算を行って、室内に太陽光が差し込まないように、羽板５４の角度を決定し、アクチュエータを駆動し、羽板５４の角度を演算して得られた角度に設定することができる。なお、羽板５４を完全に閉めるか、太陽光を遮光しつつ通風を可能とするかは、予め制御装置５８に設定しておけばよい。
【００６０】
また、日射センサー６４で検知した日射量の情報に基づき、制御装置５８は、天候が曇りであると判断した場合（予め設定した日射量以下の場合）には、太陽光を遮る制御は行わなくても良い。
【００６１】
（２）  また、予め設定した室温よりも部屋の温度が高く、かつ、外気温が室温よりも低い場合には、制御装置５８は、例えば、トップライト５０を開け、天井ルーバー４２の羽板４６を開けて室内の空気を屋外に排出することができる。この際、ファン５１を駆動することで、室内の空気の排出速度（排出量）を高めることが出来る。そして、室温が予め設定した室温に達した場合には、制御装置５８は、トップライト５０を閉め、天井ルーバー４２の羽板４６を閉め、ファン５１の作動を停止する。これにより、２階を快適な空間とすることができる。
【００６２】
なお、１階の室温と２階の室温とが異なる場合、階間ルーバー３６の羽板４６を開けて１階と２階との間で空気を出入りさせることにより、１階と２階の温度差を解消することができ、これにより、１階２階共に快適な空間とすることができる。
【００６３】
なお、建物１０に設置する天井ルーバー４２、及び階間ルーバー３６は、１箇所に限らず、複数箇所設けても良く、部屋毎に設けても良く、部屋以外の廊下、吹き抜け、納戸等に設けても良く、設置場所に制限は無い。また、天井ルーバー４２は、浴室に設けても良い。
【００６４】
なお、ここでは、予め設定した室温よりも部屋の温度が高く、かつ、外気温が室温よりも低い場合に、制御装置５８はファン５１を駆動して室内の空気をトップライト５０を介して屋外に排出するように制御したが、本発明はこれに限らず、制御装置５８は、トップライト５０を介して外気を導入するようにファン５１を駆動し、室温よりも低い外気を室内に導入する制御を行うことも可能である。
上記（１）と（２）の制御は同時に行うこともでき、これにより、より快適な空間を得ることが可能となる。
【００６５】
なお、窓や窓が閉められて室内が冷房されている場合には、制御装置５８は、室内に太陽光を差し込まないように羽板５４の角度を調整し、外気の導入や室内の空気の排出は行わない。これにより、冷房効率を向上することが出来る。
【００６６】
（３）  冬の日中に、予め設定した室温よりも部屋の温度が低い場合には、制御装置５８は、太陽光が室内に差し込む様に南側の外部ルーバー２４の羽板５４の角度を調整する制御を行う。これにより、室内に差し込んだ太陽光で床等を暖めることができ、建物内部を快適な空間とすることができる。また、暖房をしている場合には、暖房効率を向上することが出来る。
【００６７】
（４）  予め設定した設定した湿度よりも部屋の湿度が高く、部屋の湿度よりも屋外の湿度が低い場合には、制御装置５８は、例えば、トップライト５０を開け、天井ルーバー４２の羽板４６を開けて外気を室内に導入、または室内の空気を屋外に排出し、さらに、階間ルーバー３６の羽板４６を開けて１階と２階との間で空気を出入りさせることで、建物内部の湿度を低下させることができ、建物内部を快適な空間とすることができる。
【００６８】
また、予め設定した設定した湿度よりも部屋の湿度が低く、部屋の湿度よりも屋外の湿度が高い場合には、制御装置５８は、例えば、トップライト５０を開け、天井ルーバー４２の羽板４６を開けて外気を室内に導入、または室内の空気を屋外に排出し、さらに、階間ルーバー３６の羽板４６を開けて１階と２階との間で空気を出入りさせることで、部屋の湿度を低下させることができ、建物内部を快適な空間とすることができる。
【００６９】
(５）  梅雨の季節等に、部屋の湿度が上昇し、予め設定した湿度に達した場合には、制御装置５８は、各外部ルーバーの羽板を閉めるように制御することも出来る。例えば、梅雨の時等に部屋がカビを発生し易い状況となるのを防ぐため、部屋の湿度が予め設定した湿度に達した場合には、制御装置５８は各外部ルーバーの羽板を閉め、屋外の高い湿度の空気が室内に流入する。各外部ルーバーの羽板は、完全に閉めても良いが、湿度の上昇度合いによっては、制御装置５８は、羽板と羽板との間に隙間が設けられるように羽板の角度を調整することも出来る。
このように、室内の湿度を調整することで、室内に、温度（室温）制御とは異なる湿度制御に伴う快適空間を建物内に提供することが可能となる。
【００７０】
なお、外部ルーバーの外周と建物１０の外壁とを枠状の部材で連結することで、窓を閉め、かつ外部ルーバーの羽板を完全に閉めることで、枠、窓、及び外部ルーバーで囲まれた実質的に密閉された空間を窓と外部ルーバーとの間に形成することが出来る。このようにすれば、仮に窓が開けられていても、ルーバーの羽板が完全に閉められていれば、室内の空気が屋外へ排出されたり、屋外の空気が室内に流入することは阻止出来る。
【００７１】
（６）  本実施形態の建物１０では、１階の東側の窓１２Ａの外側に外部ルーバー２０を設けているので、制御装置５８は東側の窓１２Ａからの採光や通風を制御することができる。
【００７２】
例えば、制御装置５８は、例えば、予め設定した時刻等に基づいて、東側の外部ルーバー２０の羽板５４を開けることで１階の室内に朝陽を差し込ませることが出来、羽板５４の角度を調整することで室内に差し込む朝陽の量を調整することも出来る。なお、羽板５４の角度を制御して、室内に朝の太陽光が直接的に差し込むようにしても良く、朝の太陽光が直接的に差し込まなくとも、単に屋外の明るさを室内に取り入れるようにしても良い。
また、制御装置５８は、予め時間と制御内容を設定しておくことで、朝の特定の時間のみ開閉制御を可能とし、昼、夜等の別の時間帯においては、別形態の制御を行うことも出来る。例えば、朝の時間帯は羽板５４が予め設定した時間に自動的に開くように制御し、予め設定しておいた所定の時間が経過した時点（または予め設定した時間）で羽板５４が閉じるように制御することも出来る（例えば、午前７時〜９時の間は羽板５４が開くように制御。）
【００７３】
これらの制御により、朝陽の時間帯の光を１階の室内に取り込み易くなり、朝陽に基づく光の快適空間を提供することが出来る。
なお、１階の東側に限らず、２階の東側、１階及び２階の南側、西側、及び北側の外部ルーバーを制御しても良い
【００７４】
（７）  本実施形態の建物１０では、北側の窓１８Ａ，Ｂの外側に外部ルーバー２６Ａ，Ｂを設けているので、北側の窓１８Ａ、Ｂからの採光や通風を制御することができる。
例えば、日中、外部ルーバー２６Ａ，Ｂの羽板５４を開けることで北側の安定した光を室内に取り入れることができ、羽板５４を開閉して通風を制御することが出来る。これにより、建物内部を快適な空間とすることができる。
【００７５】
なお、外部ルーバー２６Ａ，Ｂの羽板５４の向きを調整することで、目隠しとして利用することができるので、例えば、北側敷地の住人とのプライバシーを保ちながら北側の安定した光を室内に取り入れたり北側の窓１８を介しての通風を制御することができる。
【００７６】
以上説明した様に、制御装置５８が室外（窓の外側）に設けた外部ルーバー２０，２２Ａ，２２Ｂ，２４，２６Ａ、２６Ｂ、及び室内に設けた階間ルーバー３６、及び天井ルーバー４２の各羽板の開閉、及び角度を調整し、建物内の温度、湿度、及び明るさが快適となるように自動で調整するので、建物内において、常に快適な空間を提供することができる。
【００７７】
なお、常に快適な空間を提供するには、予め制御装置５８に、室内の快適な条件、例えば、好みの温度、湿度、明るさ等を設定しておくことは勿論である。
上記（１）〜（７）で説明した制御は一例であり、阻害要因が無ければ組み合わせは自由にできる。
【００７８】
なお、本実施形態では、温度センサー６０、湿度センサー６１、温度センサー６２、湿度センサー６３は、各階の部屋毎に設けられていても良い。予め制御装置５８に部屋毎に異なる条件（温度、湿度、採光等）、即ち、使用する人の好みに応じて部屋の条件設定を行えば、制御装置５８は、例えば、部屋毎に外部ルーバーの制御を行い、各部屋を使用する人の好みに応じた異なる快適空間に設定することも可能である。
また、窓１２Ａ、窓１４Ａ、窓１６Ａ、窓１８Ａ、外部ルーバー２０，２２Ａ，２４，２６Ａ、窓１２Ｂ、窓１４Ｂ、窓１６Ｂ、窓１８Ｂ、外部ルーバー２２Ｂ，２６Ｂ、階間ルーバー３６、及び天井ルーバー４２等は、例えば、外気の利用率が高い箇所や、建物周囲で空気の流れが良好な箇所に設けることで、温度や湿度に基づく快適空間を効率的に得ることが出来る。
【００７９】
［第２の実施形態］
次に、本発明の第２の実施形態を図７にしたがって説明する。なお、第１の実施形態と同一構成には同一符号を付し、その説明は省略する。
図７には、天井ルーバー４２の変形例が示されている。
本実施形態の天井ルーバー４２では、羽板４６がアルミニューム等の金属で中空の箱状に形成されている。羽板４６の長手方向の一端側には、軸７０が固定されている。なお、軸７０は、天井ルーバー４２の枠に設けた軸受け（図示省略）に回転自在に支持されている。
【００８０】
羽板４６の長手方向の他端側には、ベアリング７２の外輪が固定されており、ベアリング７２の内輪は軸７４に固定されている。この軸７４は、天井ルーバー４２の枠（図示省略）に固定されている。これによって、各々の羽板４６は、枠に対して回動自在に支持されている。
【００８１】
羽板４６の内部にはＵ字状に曲げられた金属製の配管７８が配設されており、配管７８は、軸７４に形成された一対の貫通孔７６を貫通して軸７４の外部に取り出されている。なお、配管７８は軸７４に固定され、羽板４６の内面と接触しないように配置されているため、羽板４６を回転させても配管７８が動くことは無い。
【００８２】
各羽板４６の配管７８は、直列に連結されており、直列に接続された配管７８の一端側、及び他端側は、制御装置５８で制御される水供給システム８０に連結されている。水供給システム８０は、ヒートポンプユニット、ヒートポンプユニットによって得られた温水又は冷水を貯留する貯水タンク、及び貯水タンクの温水又は冷水を配管７８に供給するためのポンプ、開閉弁、流量調整バルブ等を含んで構成されている。なお、ポンプから排水された温水又は冷水は、各羽板４６の配管７８を通り、再び貯水タンクへ戻るように構成されている。
【００８３】
各羽板４６の一端には、リンク８２の一端が固定されており、リンク８２の他端側には長孔８４が形成されている。
また、羽板４６の一端側には、羽板４６の配列方向に沿って連結リンク８５が配置されており、この連結リンク８５には、複数のスライドピン８６が取り付けられている。スライドピン８６は羽板４６のリンク８２の長孔８４に挿入されており、連結リンク８５を長手方向に沿って移動することで、各羽板４６のリンク８２の長孔８４の中でスライドピン８６がスライドしつつ、リンク８２の角度、即ち、羽板４６の角度を変更する。
【００８４】
この連結リンク８５は、制御装置５８によって制御されるモータ等のアクチュエータ８８に接続されている。
なお、階間ルーバー３６も天井ルーバー４２と同様の構成となっている。
【００８５】
（作用）
本実施形態の建物１０では、室温を積極的に暖めたい場合や冷やしたい場合、制御装置５８は水供給システム８０を作動させて、天井ルーバー４２の羽板４６の配管７８に温水または冷水を通したり、階間ルーバー３６の羽板４６の配管に温水または冷水を通すことで、羽板４６を暖めたり冷やしたりすることができる。
【００８６】
これにより、階間ルーバー３６、及び天井ルーバー４２の近傍の空気、及びこれらを通過する空気を暖めたり、冷やしたりすることができ、室内の温度を迅速に変更することができ、建物内部を迅速に快適な空間とすることができる。
【００８７】
また、制御装置５８は、室温と外気温が異なっている場合、水供給システム８０を作動させて天井ルーバー４２の羽板４６の温度を調整することができ、室温を変えないように外気の導入を行うことも出来る。これにより、室温を変えることなく新鮮な外気を室内に取り入れることができ、建物内部を快適な空間とすることができる。
【００８８】
［第３の実施形態］
次に、本発明の第３の実施形態を図８にしたがって説明する。なお、第１の実施形態と同一構成には同一符号を付し、その説明は省略する。
図８には、天井ルーバー４２の変形例が示されている。
図８の断面図で示すように、本実施形態の天井ルーバー４２の羽板４６は、断面形状が概略で長方形を呈しているが、一方の端部には一方側の面から幅方向外側へ片４６Ａが突出しており、他方の端部には、一方側の面に、片４６Ａが嵌る状の凹部４６Ｂが形成されている。
【００８９】
図８の実線で示すように、羽板４６を閉じたときに、一方の羽板４６の片４６Ａが、これに隣接する他方の羽板４６の凹部４６Ｂに嵌まり、かつ一方の羽板４６の一方側の端部と、これに隣接する他方の羽板４６の他方側の端部との間には隙間９０が形成される。
これらの羽板４６には、他方側の端部に、羽板４６の長手方向(図面表裏方向）に沿って、複数のＬＥＤ９２が羽板４６の幅方向外側に向くように取り付けられている。
【００９０】
このため、図８の実線で示すように、羽板４６を閉じたときにＬＥＤ９２を点灯させると、羽板４６の端部で光が反射し、間接照明的な演出を行うことが出来る。
【００９１】
また、図８の２点鎖線で示すように、羽板４６の角度を変更してＬＥＤ９２を室内側（図面下方側）に向けることで、直接照明的な演出を行うことが出来る。
これにより、ＬＥＤ９２から出射される光に基づく光の快適空間を提供することが出来る。
【００９２】
なお、ＬＥＤ９２は、天井ルーバー４２の羽板４６に限らず、階間ルーバー３６の羽板４６、外部ルーバー２０，２２Ａ，２２Ｂ，２４，２６Ａ，２６Ｂの羽板５４に適用することも出来る。
第３の実施形態では、ルーバーの羽板の端部にＬＥＤ９２を取り付けて光の演出を行うようにしたが、ＬＥＤの代わりに、豆電球、ＥＬ素子等、他の種類の発光手段を設けても良い。なお、ＥＬ素子は、羽板の表面の一部または全体に設けても良い。
【００９３】
［第４の実施形態］
次に、本発明の第４の実施形態を図１にしたがって説明する。なお、第１の実施形態と同一構成には同一符号を付し、その説明は省略する。
第４の実施形態では、図１で２点鎖線で示すように、１階の室内に間仕切りとして利用可能な可動ルーバー９４が、南側の窓１６Ａと間隔を開けて平行に設けられている。
【００９４】
可動ルーバー９４は、例えば、外部ルーバー２０と同様の構成であり、縦長の羽板を有していると共に、第２の実施形態で説明した天井ルーバー４２と同様に中空の羽板の内部に配管が配置されており、制御装置５８によって羽板の開閉が制御される。なお、この可動ルーバー９４の配管も水供給システム８０に連結されている。
また、この可動ルーバー９４は、間仕切り用として用いられるため、床と天井とを連結するように設けられている。
【００９５】
本実施形態の可動ルーバー９４は、羽板を閉めることで可動ルーバー９４が遮光を行う間仕切りとして利用され、羽板を開けることで採光可能な間仕切りとして利用できる。また、制御装置５８は、前述した実施形態と同様に、羽板の角度を調整することもできる。
【００９６】
さらに、羽板の内部に配置した配管に温水または冷水を通すことで、羽板を暖めたり冷やしたりすることができる。これにより、間仕切り用の可動ルーバー９４の近傍の空気、及びこれらを通過する空気を暖めたり、冷やしたりすることができ、室内の温度を迅速に変更することができ、建物内部を迅速に快適な空間とすることが可能となる。
【００９７】
本実施形態では、可動ルーバー９４の羽板が縦長であったが、羽根板の向きはこれに限らず、横長としても良い。
また、本実施形態では、可動ルーバー９４が南側の窓１６Ａと間隔を開けて平行に設けられていたが、本発明はこれに限らず、階段の開口付近、吹き抜け部分等、可動ルーバー９４は建物内の任意の位置に設けることが出来る。
【００９８】
なお、上記構成および制御は一例であり、本発明は、上記に限定されるものでなく、上記以外にも、その主旨を逸脱しない範囲内において種々変形して実施可能であることは勿論である。
【符号の説明】
【００９９】
１０    建物
１２Ａ  窓
１２Ｂ  窓
１４Ａ  窓
１４Ｂ  窓
１６Ａ  窓
１６Ｂ  窓
１８Ａ  窓
１８Ｂ  窓
２０    外部ルーバー（第１の可動ルーバー）
２２Ａ  外部ルーバー（第１の可動ルーバー）
２２Ｂ  外部ルーバー（第１の可動ルーバー）
２４    外部ルーバー（第１の可動ルーバー）
２６Ａ  外部ルーバー（第１の可動ルーバー）
２６Ｂ  外部ルーバー（第１の可動ルーバー）
３２    部屋（空間）
３４    部屋（空間）
３６    階間ルーバー（第２の可動ルーバー）
４０    屋根裏
４２    天井ルーバー（第２の可動ルーバー）
４６    羽板
５１    ファン（送風機）
５４    羽板
５８    制御装置（制御手段）
６０    温度センサー（室内環境を検知するセンサー）
６１    湿度センサー（室内環境を検知するセンサー）
６２    温度センサー（室内環境を検知するセンサー）
６３    湿度センサー（室内環境を検知するセンサー）
６８    開閉センサー（窓開閉検知手段）
７８    配管
８８    アクチュエータ
９２    ＬＥＤ（照明装置）
【図１】
2012184862.tif 000003
【図２】
2012184862.tif 000004
【図３】
2012184862.tif 000005
【図４】
2012184862.tif 000006
【図５】
2012184862.tif 000007
【図６】
2012184862.tif 000008
【図７】
2012184862.tif 000009
【図８】
2012184862.tif 000010